(57)【要約】【課題】振出し孔を開閉する蓋板の開閉操作が容易であると共に、振出し孔周縁への振出し粉付着による目塞りを防止できるよう設けたものである。【解決手段】容器体１と、該容器体口頸部へ嵌合させた周壁１２上面の上板１３外周部から、後部を切欠いた内外筒１４，１７  を起立し、かつ両筒後端部を連続させると共に、内筒１４前部内の上板部分を開口１８し、該開口後縁から起立させた後壁１９と該後壁前方の内筒部分とで振出し孔２０付き天板２１を有する起立筒２２を形成し、天板上面を閉塞する蓋板３２後部の左右両側を内筒上部の左右両側へ枢着させると共に、蓋板３２後縁から下後方へ突出させた弯曲板３５後端を上記切欠き内の上板部分上へ載置させた押込み部３７へ連続させ、又内外筒間上面を閉塞板４１で閉塞し、かつ内外筒間へ打撃錘５１を入れ、押込み部前方押込みで蓋板３２が起立でき、又容器を振ることで打撃錘５１が起立筒を打撃可能とした。【選択図】    図２
2004331106.tif 000002
【特許請求の範囲】
【請求項１】
口頸部２を起立する容器体１と、
口頸部上面を閉塞する上板１３の外周から口頸部外面へ嵌合させて周壁１２を垂下すると共に、上板外周から起立する内外筒１４、１７の後部を切欠きして両筒後端部を連続させ、又内筒１４前部の上板部分を開口１８して、該開口後縁から起立する後壁１９と該後壁前方の内筒部分とで上面を振出し孔２０付き天板２１で閉塞する起立筒２２としたキャップ本体１１と、
上記天板２１上面へ載置させた蓋板３２の後部を内筒１４上端部の左右両側へ枢着させると共に、該蓋板後端部から下後方へ突出した弯曲板３５後端部を、上記切欠き内の上板１３部分上へ載置させた押込み部３７へ連続させた操作部材３１と、
上記内外両筒１４、１７の間隙上面を閉塞する閉塞板４１と、
上記内外両筒間へ収納されて、容器を振ることで起立筒を震動可能とした打撃錘５１とからなり、
上記押込み部前方押出により弯曲板前部が弾性屈折し枢着部を中心に蓋板３２が回動して振出し孔２０が開孔可能に形成した
ことを特徴とする振出し容器。
【請求項２】
上記内筒１４後部両端から後方へ、上板後方向への半径と平行にガイド板１６、１６を突出してこれ等両端と外筒１７切欠き部分後端とを連続させ、それ等ガイド板間を押込み部３７進退用路とした
ことを特徴とする、請求項１記載の振出し容器。
【請求項３】
上記押込み部３７を前方押込みしたとき、操作部材３１一部が起立筒２２を打撃して天板２１を震動可能に形成した
ことを特徴とする、請求項１又は２記載の振出し容器。
【請求項４】
上記弯曲板３５上方を、閉塞板４１後部上端の左右壁部間に架設した横壁部４３で覆合させると共に該横壁部の下面後部へ第１係合突条３９ａを、かつ押込み部３７の前端部上面へ第２係合突条４４を、それぞれ付設し、押込み部３７の前方押込みで、第１係合突条３９ａが第２係合突条４４を強制乗越え可能に形成した
ことを特徴とする、請求項１、２又は３記載の振出し容器。
【請求項５】
口頸部２を起立する容器体１と、
口頸部上面を閉塞する上板１３外周から口頸部外面へ嵌合させて周壁１２を垂下し、上板外周部上面から、筒部後部を切欠き該切欠き端部からガイド板１６、１６を後方突出する囲み壁を起立し、又該囲み壁前部内の上板部分を開口１８して該開口後縁から起立させた後壁１９と該後壁前方の囲み壁部分とで、上面を振出し孔２０付き天板２１で閉塞する起立筒２２としたキャップ本体１１と、
上記天板２１上面へ載置させた蓋板３２の後部を囲み壁上端部の左右両側へ枢着させると共に、該蓋板後端部から下後方へ突出した弯曲板３５後端部を、上記ガイド板間後方の上板１３部分上へ載置させた押込み部３７へ連続させた操作部材３１とからなり、
押込み部前方押出しで弯曲板３５前部が弾性屈折して枢着部と中心に回動して蓋板３２が起立すると共に操作部材一部が起立筒２２を打撃し天板２１が震動可能とした
ことを特徴とする振出し容器。
【発明の詳細な説明】
【０００１】
【発明の属する技術分野】
本発明は振出し容器に関する。
【０００２】
【従来の技術】
容器体上面を閉塞する蓋板頂板の中央部から、下端面閉塞の筒体を垂下させると共に該筒体内へ打撃用錘を収納させ、又蓋体頂板の外周部に振出し孔を穿設させて容器体内調味料の振出しが可能となし、上記振出し孔周縁へ調味料が付着して小径化したとき上記打撃用錘で頂板中央部に震動を与えて付着した調味料を取除くようにした振出し容器が知られている（特許文献１）。
【０００３】
又キャップ周壁の下部を容器体口頸部外面へ嵌合可能とすると共に、キャップ頂壁の前後方向直径部分上面へ、前部は浅く、後部は次第に下後方へ深く下降する溝を設けて、その溝前部底面へ振出し孔を穿設したキャップ本体と、上記溝内ヘ嵌合させて、前後方向中間部両側と後部両側とを共に上記溝左右壁面の対応部分へ枢着させ、前方枢着部分やや後方部分へ薄肉ヒンジを設けた蓋板とで形成し、該蓋板前後の蓋板部分押下げで、前方枢着部分前方の蓋板部分が起立して振出し孔が開孔するよう設けた振出し容器が知られている（特許文献２）。
【０００４】
【特許文献１】
実開昭５６−１１１８７２号公報
【特許文献２】
特開２００１−２３３３７０号公報
【０００５】
【発明が解決しようとする課題】
本発明は、振出し操作の度に振出し孔周縁へ付着する収納物の除去を従来例よりもより効率的に除去すると共に、蓋板の開閉操作を容易に行うことが可能としたものである。
【０００６】
【課題を解決するための手段】
第１の手段として、口頸部２を起立する容器体１と、
口頸部上面を閉塞する上板１３の外周から口頸部外面へ嵌合させて周壁１２を垂下すると共に、上板外周から起立する内外筒１４、１７の後部を切欠きして両筒後端部を連続させ、又内筒１４前部の上板部分を開口１８して、該開口後縁から起立する後壁１９と該後壁前方の内筒部分とで上面を振出し孔２０付き天板２１で閉塞する起立筒２２としたキャップ本体１１と、
上記天板２１上面へ載置させた蓋板３２の後部を内筒１４上端部の左右両側へ枢着させると共に、該蓋板後端部から下後方へ突出した弯曲板３５後端部を、上記切欠き内の上板１３部分上へ載置させた押込み部３７へ連続させた操作部材３１と、
上記内外両筒１４、１７の間隙上面を閉塞する閉塞板４１と、
上記内外両筒間へ収納されて、容器を振ることで起立筒を震動可能とした打撃錘５１とからなり、
上記押込み部前方押出により弯曲板前部が弾性屈折し枢着部を中心に蓋板３２が回動して振出し孔２０が開孔可能に形成した。
【０００７】
第２の手段として、上記第１の手段を有すると共に上記内筒１４後部両端から後方へ、上板後方向への半径と平行にガイド板１６、１６を突出してこれ等両端と外筒１７切欠き部分後端とを連続させ、それ等ガイド板間を押込み部３７進退用路とした。
【０００８】
第３の手段として、上記第１又は第２の手段を有すると共に上記押込み部３７を前方押込みしたとき、操作部材３１一部が起立筒２２を打撃して天板２１を震動可能に形成した。
【０００９】
第４の手段として、上記第１、第２又は第３の手段を有すると共に上記弯曲板３５上方を、閉塞板４１後部上端の左右壁部間に架設した横壁部４３で覆合させると共に該横壁部の下面後部へ第１係合突条３９ａを、かつ押込み部３７の前端部上面へ第２係合突条４４を、それぞれ付設し、押込み部３７の前方押込みで、第１係合突条３９ａが第２係合突条４４を強制乗越え可能に形成した。
【００１０】
第５の手段として、口頸部２を起立する容器体１と、
口頸部上面を閉塞する上板１３外周から口頸部外面へ嵌合させて周壁１２を垂下し、上板外周部上面から、筒部後部を切欠き該切欠き端部からガイド板１６、１６を後方突出する囲み壁を起立し、又該囲み壁前部内の上板部分を開口１８して該開口後縁から起立させた後壁１９と該後壁前方の囲み壁部分とで、上面を振出し孔２０付き天板２１で閉塞する起立筒２２としたキャップ本体１１と、
上記天板２１上面へ載置させた蓋板３２の後部を囲み壁上端部の左右両側へ枢着させると共に、該蓋板後端部から下後方へ突出した弯曲板３５後端部を、上記ガイド板間後方の上板１３部分上へ載置させた押込み部３７へ連続させた操作部材３１と、からなり、
押込み部前方押出しで弯曲板３５前部が弾性屈折して枢着部と中心に回動して蓋板３２が起立すると共に操作部材一部が起立筒２２を打撃し天板２１が震動可能とした。
【００１１】
【発明の実施の形態】
以下図面について説明する。まず図１から図４が示す第１実施形態について説明すると、１は胴部上端から肩部を介して口頸部２を起立する容器体である。
【００１２】
上記口頸部外面へはキャップ本体１１の周壁１２を螺合させている。その周壁は、容器体口頸部の上端面を閉塞する上板１３の外周から垂下させており、その上面外周部からは後部を切欠きした内外筒１４、１７を起立させている。その内筒１４は図４が示すように上方からみて、左右両部を前後方向への直径と平行な垂直壁部１５、１５とし、かつ該垂直壁部後端を互いが向い合う方向へ屈折させ、かつ該屈折板部分の先端相互を後方へ突出させてガイド板１６、１６とし、該ガイド板後端と外筒１７後端とを連続させ、内外筒間の間隙後端を閉じている。ガイド板１６、１６は上板１３後方向への半径と平行に設けている。
【００１３】
又図２が示すように内筒１４前部内の上板部分を開口１８して、該開口後縁から後壁１９を上前方へ起立させ、該後壁と該後壁前方の内筒部分とで、上面を振出し孔２０付きの天板２１で閉塞する起立筒２２を形成し、その天板２１後方の垂直壁部１５、１５上部内面へは、後述蓋板を枢着させるための軸受け凹部２３、２３を穿設している。尚図４が示すように既述垂直壁部１５、１５の各前端部と後端部とからは仕切板２４、２４を突出させてそれ等両仕切板間を後述打撃錘収納空間２５とするとよい。
【００１４】
３１は操作部材で、図１が示すように蓋板後端部から下後方へ弯曲板を突出させ、該弯曲板後端を押込み部前部へ連続させて形成している。蓋板３２は既述天板２１上へ載置させて振出し孔２０を閉塞可能としており、その下面には振出し孔内へ着脱可能な栓状突部を付設するとよい。蓋板後部からはピン軸３３、３３を付設した板３４、３４を垂下させてそのピン軸３３を既述軸受け凹部２３、２３内へ回動可能に嵌合させてそのピンを中心に蓋板３２が回動可能としている。弯曲板３５は、蓋板後端部から垂下板部を下方へ垂下し、該垂下板下端から肉薄ヒンジ３６を介して後方へ水平状板部を突出する。又押込み部３７は後壁の左右両側からＬ字形状に形成した側板３８、３８を前方へ突出させると共に後壁上端から頂板３９を前方突出し、かつ該頂板前端から短板を垂下させ、該短板下端へ弯曲板後端を接続させている。頂板３９および短板の左右両側は、側板３８上端と上部前縁とに連続させている。それ等側板３８、３８は、それ等外面をガイド板１６、１６内面へ摺動可能に当接させるもので、該状態に押込み部３７をガイド板１６間の上板１３後部上へ載置させ、その押込み部３７前方押込みによって上記肉薄ヒンジ３６が屈折してピン軸３３、３３を中心に蓋板３２が回動起立するよう設けている。
【００１５】
４１は既述内筒１４と外筒１７との間隙上面を閉塞する閉塞板で、その外周部から外筒１７の上端部内面へ嵌合する嵌合壁４２を垂下する。図１が示すように閉塞板後部の左右両側部間へは、既述弯曲板３５上方を覆う横壁部４３を架設することが望ましい。
【００１６】
該横壁部４３はその下面を押込み部の頂板３９上面より上方に位置させ、上記押込み部前進時に横壁部４３下方へ入るよう設けている。
【００１７】
既述キャップ本体の内外両筒間へは金属製等の打撃錘５１を転動可能に収納させる。該打撃錘は、容器を振ることで、起立筒２２を打撃し、該衝撃で起立筒２２が震動して振出し孔２０周縁に付着した振出し粉が落ちるよう設けたもので、図示例では図４が示すように仕切板２４，２４  間の内外両筒間の間隙が形成する収納空間２５内へ収納させている。
【００１８】
その収納室２５は複数設けたそれぞれの収納空間内へ抜出し不能に打撃錘５１を収納させ、各打撃錘が重なって起立筒２２の打撃が不能とならないよう設けることが必要である。その収納空間２５は起立筒２２の前面側へ設けてもよい。
【００１９】
以下他の実施形態について説明するが、第１実施形態と同一部分については説明を省略して同一符号を付するに止め、相違部分についてだけ説明する。
【００２０】
図５から図８は第２実施形態を示す。該実施形態において起立筒２２の後壁上部を第１垂直壁１９ａ  とし、かつ該第１垂直壁下端から下後方への傾斜壁１９ｂ  を突出させ、該傾斜壁の後端の左右両部からは第２垂直壁１９ｃ，１９ｃ  を垂下させると共に傾斜壁の中間部はそのまま下後方へ延長させ、かつ該延長部両側からは第３垂直壁１９ｄ，１９ｄ  を垂下させ、上板１３はそれ等第３垂直壁１９ｄ  、傾斜壁の延長部、第２垂直壁の各下端と連続させてそれ等連続部分を開口１８の後縁としている。
【００２１】
操作部材３１は、図８が示すように前方押込み時に側板３８，３８  前面が第２垂直壁１９ｃ  後面を、又屈折された肉薄ヒンジ部分が第１垂直壁１９ａ  を、それぞれ打設し、該打設により起立筒２２が、特に天板２１が震動して振出し孔２０周縁へ付着した粉末を落とすことが可能としている。尚図示例では起立筒２２に対する打撃を、第２垂直壁と第１垂直壁との２箇所へ同時に行っているが、それ等いずれかに対して１箇所だけで行っても差し支えない。又頂板３９前縁上面には第１係合突条３９ａ  を横設している。
【００２２】
閉塞板４１は図５が示すように横壁部４３を有し、該横壁部の下面後部には上記第１係合突条３９ａ  の前面へ係合する第２係合突条４４を横設しており、該状態から押込み部３７を前方へ強く押圧すると、第１係合突条３９ａ  は第２係合突条４４を強制乗越えする。
【００２３】
打撃錘５１は、既述キャップ本体１１の内外両筒間の間隙内へ入れる。
【００２４】
図９から図１２は第３実施形態を示す。該実施形態は、既述第２実施形態から、外筒１７と閉塞板４１とを除いた構造とするものである。
【００２５】
即ち、キャップ本体１１の上板１３からは、内向きフランジ状部を介して起立する筒部１４ａ  後部を切欠き、該切欠き端部から該端部が向かい合う方向への屈折板部１４ｂ，１４ｂ  を介してガイド板１６，１６  を上板外縁まで後方へ突出させた囲み壁２６を起立させている。該実施形態の場合は閉塞板４１を有しないため、操作部材３１の頂板３９前縁に第１係合突条を有しない。尚該第１係合突条に代えてガイド板１６，１６  間の上板部分上面へ押込み部３７の後壁４０下端内面と係合させる係合突条２７を設けてもよく、このようにすることで、押込み部前方押込みの力を蓄え、その係合突条を後壁下端面が強制乗越えしたことでの急激な押込み部３７前進で起立筒２２を強く打設させることが出来る。
【００２６】
【発明の効果】
本発明は既述構成とするもので、請求項１記載のようにすることで、操作部材３１の押込み部３７を前方へ押込むことで蓋板３２を開いて振出し孔２０を開くことが出来、又その押込みを離すことで、ないしは開いた蓋板を倒すことで振出し孔の閉塞が出来るから、その開閉が容易であり、又振出し用の粉が振出し孔周縁に付着したときは容器を振ることで内外両筒間へ収納させた打撃錘が起立筒２２を震動させるからその付着粉を落とすことが出来る。よって振出し孔の開閉操作が容易で、かつ振出し孔が目塞りしない振出し容器とすることが出来る。
【００２７】
請求項２のようにすることで、操作部材の押込み部３７が進退に際して左右へブレることを防止でき、その進退操作を容易に行うことが出来る。
【００２８】
請求項３のようにすることで、振出し孔目塞り防止効果を更に向上させることが出来る。
【００２９】
請求項４のようにすることで、キャップ本体と操作部材と閉塞板とが形成するキャップ上面の外見が向上できる。又押込み部３７の前方押込みで第１係合突条３９ａ  が第２係合突条４４を強制乗越えするよう設けたから、押込み部前方押圧の力が蓄えられた後、瞬時に前進することとなり、よって起立筒打撃力を増大でき、振出し孔への付着粉振出し効果を高めることが出来る。
【００３０】
請求項５のようにすることでも、起立筒２２打撃により振出し孔周縁へ付着した粉を落とすことが出来、又キャップの構造も簡易にすることが出来る。
【図面の簡単な説明】
【図１】本発明容器の分解斜視図である。
【図２】図１容器の断面図である。
【図３】図２容器の平面図である。
【図４】図１主要部材の平面図である。
【図５】第２実施形態で示す容器の断面図である。
【図６】図５容器のキャップから、一部材を外して示す平面図である。
【図７】図５主要部材の斜視図である。
【図８】図５状態から振出し孔を開口させた状態を示す断面図である。
【図９】第３実施形態で示す縦断面図である。
【図１０】図９状態から振出し孔を開口させた状態で示す断面図である。
【図１１】図９容器の平面図である。
【図１２】図９主要部材の斜視図である。
【符号の説明】
１…容器体                          １１…キャップ本体
３１…操作部材                  ４１…閉塞板
５１…打撃錘
【図１】
2004331106.tif 000003
【図２】
2004331106.tif 000004
【図３】
2004331106.tif 000005
【図４】
2004331106.tif 000006
【図５】
2004331106.tif 000007
【図６】
2004331106.tif 000008
【図７】
2004331106.tif 000009
【図８】
2004331106.tif 000010
【図９】
2004331106.tif 000011
【図１０】
2004331106.tif 000012
【図１１】
2004331106.tif 000013
【図１２】
2004331106.tif 000014